(57)【要約】【課題】伝送路の敷設作業を容易にすることが可能な電力変換装置を提供することができる。【解決手段】電力変換装置は、電力変換のために直列に接続された複数のサイリスタと、複数のサイリスタの各々に対して設けられ、当該サイリスタに印加された電圧に応じて発光する発光素子を含む複数の電圧検出器と、複数の電圧検出器に含まれる発光素子の各々の発光に応じた光信号を伝送路を介して受光する受光素子と、複数の電圧検出器と受光素子とを接続し、光信号を伝送するように構成された伝送路とを具備する。【選択図】図６
2018137876.tif 000002
【特許請求の範囲】
【請求項１】
電力変換のために直列に接続された複数のサイリスタと、
前記複数のサイリスタの各々に対して設けられ、当該サイリスタに印加された電圧に応じて発光する発光素子を含む複数の電圧検出器と、
前記複数の電圧検出器に含まれる発光素子の各々の発光に応じた光信号を受光する受光素子と、
前記複数の電圧検出器と前記受光素子とを接続し、前記光信号を伝送するように構成された伝送路と
を具備することを特徴とする電力変換装置。
【請求項２】
前記伝送路は、前記複数の電圧検出器と前記受光素子とを接続するように枝分かれした形状を有することを特徴とする請求項１記載の電力変換装置。
【請求項３】
前記複数の電圧検出器に含まれる発光素子のうちの少なくとも１つの発光素子の発光に応じた光信号が前記受光素子によって受光された場合に、前記複数のサイリスタを駆動するゲートパルスを発生する発生手段を更に具備することを特徴とする請求項１記載の電力変換装置。
【請求項４】
前記受光素子によって受光された光信号に基づく光量に基づいて、前記複数のサイリスタのうちの少なくとも１つのサイリスタの故障を検出する故障検出手段を更に具備することを特徴とする請求項１記載の電力変換装置。
【発明の詳細な説明】
【技術分野】
【０００１】
本発明は、電力変換装置に関する。
【背景技術】
【０００２】
一般に、例えば交流電力を直流電力に変換する等の電力変換を行う電力変換装置が知られている。
【０００３】
このような電力変換装置は、多数のスイッチング素子を組み合わせて構成される。具体的には、電力変換装置は、スイッチング素子としてのサイリスタ（素子）が直列に接続されたサイリスタバルブ（サイリスタ直列回路）を備える。サイリスタバルブにおける各サイリスタにはスナバ回路が並列に設けられており、当該スナバ回路によりサイリスタは安定して駆動することができる。
【０００４】
ここで、サイリスタバルブにおいては、各サイリスタに電圧（順電圧または逆電圧）が印加されていることを検出するための電圧検出器（電圧検出基板）が設けられている場合がある。このような電圧検出器においてサイリスタに電圧が印加されていることが検出された場合、当該電圧検出器から電圧信号が出力される。
【０００５】
電圧検出器から出力された電圧信号は、各サイリスタの点弧を制御するゲート制御装置において入力され、当該各サイリスタを駆動するためのゲートパルスを所定のタイミングで発生させる（つまり、サイリスタを適切に駆動する）ために使用される。また、電圧検出器から出力された電圧信号は、例えばサイリスタの故障等の検出に使用されてもよい。
【先行技術文献】
【特許文献】
【０００６】
【特許文献１】特開２０１１−２０５８１２号公報
【発明の概要】
【発明が解決しようとする課題】
【０００７】
ところで、上記した電圧検出器は発光素子を備え、当該発光素子は、サイリスタに電圧が印加された際にスナバ回路のインピーダンスにより発生する電圧を利用して発光する。電圧検出器は、この発光素子の発光に応じた光信号を電圧信号としてゲート制御装置に出力する。なお、この光信号（電圧信号）は、光ファイバケーブルのような伝送路を経由してゲート制御装置に出力される。
【０００８】
ここで、電圧検出器はサイリスタ毎に設けられており、ゲート制御装置には、当該電圧検出器の各々に対応する受光素子（例えば、Ｏ／Ｅコンバータ）が設けられている。この場合、サイリスタの数と同数の（つまり、電圧検出器及び受光素子の組毎に）伝送路を敷設する必要があり、当該伝送路の敷設作業に時間がかかる。
【０００９】
そこで、本発明の目的は、伝送路の敷設作業を容易にすることが可能な電力変換装置を提供することにある。
【課題を解決するための手段】
【００１０】
本発明の１つの態様によれば、電力変換のために直列に接続された複数のサイリスタと、前記複数のサイリスタの各々に対して設けられ、当該サイリスタに印加された電圧に応じて発光する発光素子を含む複数の電圧検出器と、前記複数の電圧検出器に含まれる発光素子の各々の発光に応じた光信号を伝送路を介して受光する受光素子と、前記複数の電圧検出器と前記受光素子とを接続し、前記光信号を伝送するように構成された伝送路とを具備する電力変換装置が提供される。。
【発明の効果】
【００１１】
本発明によれば、伝送路の敷設作業を容易にすることが可能な電力変換装置を提供することができる。
【図面の簡単な説明】
【００１２】
【図１】本発明の実施形態に係る電力変換装置の構成の一例を示す図。
【図２】サイリスタバルブの一例について説明するための図。
【図３】サイリスタバルブモジュールの構成の一例を示す図。
【図４】電圧検出器の構成の一例を示す図。
【図５】本実施形態に対する比較例における電圧検出器と受光素子とを接続する伝送路の一例について説明するための図。
【図６】本実施形態における電圧検出器と受光素子とを接続する伝送路の一例について説明するための図。
【発明を実施するための形態】
【００１３】
以下、図面を参照して、本発明の実施形態について説明する。
【００１４】
図１は、本実施形態に係る電力変換装置の構成を示す。図１に示す電力変換装置１は、例えば３相交流電源ＡＰから供給される交流電力を直流電力に変換して直流回路ＤＰに供給する他励式の電力変換装置である。
【００１５】
図１に示すように、電力変換装置１は、サイリスタバルブ１０、ゲート制御装置２０及び制御盤３０を備える。
【００１６】
サイリスタバルブ１０は、電力変換のための整流器の一種であり、多数のスイッチング素子を組み合わせた構成を有する。スイッチング素子としては、高電圧及び大容量のサイリスタ（素子）が用いられる。
【００１７】
ゲート制御装置２０は、サイリスタバルブ１０における各サイリスタを駆動する（各サイリスタの点呼を制御する）ためのゲートパルスを発生する。
【００１８】
制御盤３０は、ゲート制御装置２０と各種信号を送受信してサイリスタバルブ１０による電力変換の制御及び監視をする。
【００１９】
なお、サイリスタバルブ１０は、図２に示すように複数のサイリスタバルブモジュール１００を直列接続して構成される。
【００２０】
図３は、主として図２に示すサイリスタバルブモジュール１００の構成を示す。図３に示すように、サイリスタバルブモジュール１００は、ｎ個のサイリスタＴＨ１，ＴＨ２，ＴＨ３，…，ＴＨｎ（ｎは２以上の整数）と、ｎ個のスナバ回路ＳＮ１，ＳＮ２，ＳＮ３，…，ＳＮｎと、ｎ個の分圧抵抗ＲＰ１，ＲＰ２，ＲＰ３，…，ＲＰｎと、ｎ個の電圧検出器ＤＶ１，ＤＶ２，ＤＶ３，…，ＤＶｎとを備える。
【００２１】
ｎ個のサイリスタＴＨ１〜ＴＨｎは、全て直列に接続されている。ｎ個のスナバ回路ＳＮ１〜ＳＮｎは、ｎ個のサイリスタＴＨ１〜ＴＨｎとそれぞれ並列に接続されている。ｎ個の分圧抵抗ＲＰ１〜ＲＰｎは、ｎ個の電圧検出器ＤＶ１〜ＤＶｎとそれぞれ直列に接続されている。なお、分圧抵抗ＲＰ１〜ＲＰｎ及び電圧検出器ＤＶ１〜ＤＶｎがそれぞれ直列に接続されたｎ個の回路は、ｎ個のサイリスタＴＨ１〜ＴＨｎとそれぞれ並列に接続されている。
【００２２】
サイリスタＴＨ１〜ＴＨｎの各々は、電力変換のためのスイッチング素子である。このサイリスタＴＨ１〜ＴＨｎとしては、例えば光信号（ゲートパルス）により駆動する光トリガサイリスタまたは電気信号（ゲートパルス）により駆動する電気トリガサイリスタ等を用いることができる。サイリスタＴＨ１〜ＴＨｎは、ゲート制御装置２０から出力されるゲートパルスＧＰに応じて駆動（点弧制御）される。サイリスタＴＨ１〜ＴＨｎが駆動されることにより、交流電力を直流電力に変換することが可能となる。
【００２３】
分圧抵抗ＲＰ１〜ＲＰｎは、サイリスタバルブモジュール１００の極間に加わる直流電圧成分を均一分圧するとともに、電圧検出器ＤＶ１〜ＤＶｎに流れる電流を抑制する。
【００２４】
スナバ回路ＳＮ１〜ＳＮｎは、サイリスタバルブモジュール１００の極間に加わる交流電圧成分を均一分圧するとともに、それぞれサイリスタＴＨ１〜ＴＨｎのターンオン（点弧）及びターンオフ（消弧）時に加わる過渡的な電圧分担の不均一及び過電圧から当該サイリスタＴＨ１〜ＴＨｎを保護する。また、スナバ回路ＳＮ１〜ＳＮｎは、それぞれサイリスタＴＨ１〜ＴＨｎに対して電力損失を低減し、安定したスイッチングを実現するために設けられている。スナバ回路ＳＮ１〜ＳＮｎは、抵抗ＲＳとコンデンサＣＳとが直列に接続された構成を有する。
【００２５】
電圧検出器ＤＶ１〜ＤＶｎは、上記したようにサイリスタＴＨ１〜ＴＨｎの各々に対して設けられており、当該各サイリスタＴＨ１〜ＴＨｎに電圧が印加されたことを検出する。電圧検出器ＤＶ１〜ＤＶｎは、サイリスタＴＨ１〜ＴＨｎに電圧が印加された場合、当該サイリスタＴＨ１〜ＴＨｎに電圧が印加されていることを表す信号（以下、電圧信号と表記）をゲート制御装置２０に出力する。
【００２６】
ゲート制御装置２０は、図３には図示されていない監視回路を備える。監視回路は、電圧検出器ＤＶ１〜ＤＶｎによって出力された電圧信号に基づいてサイリスタＴＨ１〜ＴＨｎの各々への電圧の印加状態を監視する。
【００２７】
ゲート制御装置２０は、制御盤３０から受信される各種信号及び監視回路による監視結果（つまり、サイリスタＴＨ１〜ＴＨｎの各々への電圧の印加状態）等に基づいてゲートパルスＧＰを生成（発生）する。ゲート制御装置２０は、生成されたゲートパルスＧＰを所定のタイミングで各サイリスタＴＨ１〜ＴＨｎに出力することによって、当該各サイリスタＴＨ１〜ＴＨｎの駆動を制御する（点弧制御を実行する）。このゲートパルスＧＰにより、サイリスタバルブ１０（サイリスタバルブモジュール１００）は、電力変換動作を行う。
【００２８】
また、ゲート制御装置２０は、例えば監視回路による監視結果に基づいてサイリスタＴＨ１〜ＴＨｎの故障等を検出することも可能である。
【００２９】
制御盤３０は、サイリスタＴＨ１〜ＴＨｎを駆動する位相（タイミング）を決定する処理を実行する。制御盤３０は、決定された位相を示す信号（位相制御信号）を、上記したゲート制御装置２０においてゲートパルスＧＰを生成するための信号として、ゲート制御装置２０に送信する。
【００３０】
図４は、図３に示す電圧検出器ＤＶ１の構成を示す。図４に示すように、電圧検出器ＤＶ１は、ツェナーダイオードＤＺＦ及びＤＺＲと、発光素子ＬＦ及びＬＲと、抵抗ＲＤとを備える。なお、電圧検出器ＤＶ１には、サイリスタＴＨ１に電圧が印加された際にスナバ回路ＳＮ１のインピーダンスにより発生する電圧が印加される。
【００３１】
ツェナーダイオードＤＺＦは、分圧抵抗ＲＰ１と直列に接続されている。ツェナーダイオードＤＺＦは、サイリスタＴＨ１に順電圧が印加される際に電圧検出器ＤＶ１に印加される電圧により流れる電流を阻止する方向に取り付けられている。なお、この場合における順電圧は、サイリスタＴＨ１に電流が流れる方向の電圧である。
【００３２】
このようなツェナーダイオードＤＺＦにより、サイリスタＴＨ１に順電圧が印加されると、発光素子ＬＦには、当該発光素子ＬＦを発光させるための電圧が印加される。
【００３３】
なお、ツェナーダイオードＤＺＦは、順電圧による電流が過大になると（過電流が流れると）、この電流を流す方向に導通する。これにより、ツェナーダイオードＤＺＦは、発光素子ＬＦを過大な電流から保護する。
【００３４】
発光素子ＬＦは、上記したようにサイリスタＴＨ１に印加された順電圧に応じて発光する。発光素子ＬＦが発光した場合、当該発光素子ＬＦの発光に応じた光信号が順電圧信号（サイリスタＴＨ１に順電圧が印加されていることを示す信号）ＦＶ１としてゲート制御装置２０に対して出力される。なお、発光素子ＬＦとしては、例えば発光ダイオード（ＬＥＤ：Light Emitting Diode）を用いることができる。
【００３５】
ツェナーダイオードＤＺＲは、ツェナーダイオードＤＺＦと逆向きかつ直列に接続されている。すなわち、ツェナーダイオードＤＺＲは、サイリスタＴＨ１に逆電圧が印加される際に電圧検出器ＤＶ１に印加される電圧により流れる電流を阻止する方向に取り付けられている。なお、この場合における逆電圧は、上記した順電圧の極性と逆の電圧である。
【００３６】
このようなツェナーダイオードＤＺＲにより、サイリスタＴＨ１に逆電圧が印加されると、発光素子ＬＲには、当該発光素子ＬＲを発光させるための電圧が印加される。
【００３７】
なお、ツェナーダイオードＤＺＲは、逆電圧による電流が過大になると（過電流が流れると）、この電流を流す方向に導通する。これにより、ツェナーダイオードＤＺＲは、発光素子ＬＲを過電流から保護する。
【００３８】
発光素子ＬＲは、上記したようにサイリスタＴＨ１に印加された逆電圧に応じて発光する。発光素子ＬＲが発光した場合、当該発光素子ＬＲの発光に応じた光信号が逆電圧信号（サイリスタＴＨ１に逆電圧が印加されていることを示す信号）ＲＶ１としてゲート制御装置２０に対して出力される。なお、上記した発光素子ＬＦと同様に、発光素子ＬＲとしては、例えば発光ダイオードを用いることができる。
【００３９】
抵抗ＲＤは、発光素子ＬＦ及びＬＲに流れる電流を抑制する。このような抵抗ＲＤにより、発光素子ＬＦ及びＬＲに所定の電流を流すことができる。
【００４０】
ここでは電圧検出器ＤＶ１の構成について説明したが、他の電圧検出器ＤＶ２〜ＤＶｎの構成についても同様であるため、その詳しい説明を省略する。
【００４１】
ここで、本実施形態に係る電力変換装置１において、サイリスタバルブ１０（サイリスタバルブモジュール１００）及びゲート制御装置２０は、上記した電圧検出器ＤＶ１〜ＤＶｎの各々によって出力された光信号（順電圧信号及び逆電圧信号）を伝送するように構成された例えば光ファイバケーブル等の伝送路を介して接続されている。
【００４２】
この場合、ゲート制御装置２０には、例えば順電圧信号及び逆電圧信号である光信号を受光（受信）するための受光素子が設けられている。この受光素子は、例えばＯ／Ｅコンバータを含む。このＯ／Ｅコンバータによって受光された光信号は、電気信号に変換されて、例えばサイリスタＴＨ１〜ＴＨｎを適切に駆動するためのゲートパルスＧＰの生成及び当該サイリスタＴＨ１〜ＴＨｎの故障の検出等に使用される。
【００４３】
以下、上記したように複数のサイリスタＴＨ１〜ＴＨｎの各々に対して電圧検出器ＤＶ１〜ＤＶｎが備えられている場合において、図５に示すように、当該電圧検出器ＤＶ１〜ＤＶｎの各々によって出力された光信号を受光するために、当該電圧検出器ＤＶ１〜ＤＶｎの数と同数のＯ／Ｅコンバータ（受光素子）２１がゲート制御装置２０に設けられる構成（以下、比較例と表記）について説明する。
【００４４】
この場合、複数のＯ／Ｅコンバータ２１には、監視回路４００が接続される。これにより、監視回路４００は、複数のＯ／Ｅコンバータ２１の各々において光信号（順電圧信号及び逆電圧信号）が受信（受光）されたか否かによって、サイリスタＴＨ１〜ＴＨｎの各々に対する電圧の印加状態を監視することができる。
【００４５】
ところで、図５に示す比較例に係る構成の場合、例えば電圧検出器ＤＶ１と１つのＯ／Ｅコンバータ２１とは、１本の光ファイバケーブル５００で接続される。他の電圧検出器ＤＶ２〜ＤＶｎについてもそれぞれ異なるＯ／Ｅコンバータ２１と別個の光ファイバケーブル５００で接続される。
【００４６】
すなわち、比較例に係る構成においては、電圧検出器ＤＶ１〜ＤＶｎ（及びＯ／Ｅコンバータ２１の組）の数と同数の光ファイバケーブル５００を敷設する必要があるため、当該敷設作業が非常に煩雑である。
【００４７】
これに対して、本実施形態においては、図６に示すように、サイリスタバルブモジュール１００に複数の電圧検出器ＤＶ１〜ＤＶｎが備えられているのに対して、ゲート制御装置２０には、例えば１つのＯ／Ｅコンバータ２１が設けられる構成とする。なお、本実施形態におけるＯ／Ｅコンバータは、図５に示す比較例におけるＯ／Ｅコンバータと同様のもので構わないため、同一参照符号を付して説明する。
【００４８】
このような構成の場合、サイリスタバルブモジュール１００に備えられる複数の電圧検出器ＤＶ１〜ＤＶｎとゲート制御装置２０に設けられているＯ／Ｅコンバータ２１とが光ファイバケーブル４０によって接続される。なお、この場合における光ファイバケーブル（伝送路）４０は、図６に示すように、例えば複数の電圧検出器ＤＶ１〜ＤＶｎとＯ／Ｅコンバータ２１とを接続するように枝分かれした形状を有する。このような構成によれば、上記した比較例に係る構成と比較して、光ファイバケーブル４０の敷設作業を容易にすることができる。
【００４９】
なお、上述した比較例に係る構成における監視回路４００は、複数のＯ／Ｅコンバータ２１の各々において光信号が受信されたか否かに基づいてサイリスタＴＨ１〜ＴＨｎの各々に対する電圧の印加状態を監視することができるが、本実施形態における監視回路２２は、Ｏ／Ｅコンバータ２１において受信される光信号に基づく光量に基づいてサイリスタＴＨ１〜ＴＨｎの各々に対する電圧の印加状態を監視するものとする。なお、光信号に基づく光量は、Ｏ／Ｅコンバータ２１を介して監視回路２２において認識可能である。
【００５０】
ここで、ゲート制御装置２０は、ゲートパルス発生回路（図示せず）を含む。ゲートパルス発生回路は、上記した制御盤３０から受信される位相制御信号及び監視回路２２の監視結果（Ｏ／Ｅコンバータ２１において受信される順電圧信号）に基づいてサイリスタＴＨ１〜ＴＨｎを駆動（点弧制御）するゲートパルスＧＰを発生する。具体的には、ゲートパルス発生回路は、位相制御信号に基づくサイリスタＴＨ１〜ＴＨｎを駆動するタイミングであり、かつ、サイリスタＴＨ１〜ＴＨｎのうちの少なくとも１つのサイリスタに順電圧が印加されている状態であれば、全てのサイリスタＴＨ１〜ＴＨｎを駆動するゲートパルスＧＰを発生する。
【００５１】
なお、本実施形態においては、サイリスタＴＨ１〜ＴＨｎの各々に対する電圧の印加状態を判別することはできないが、光量の少ない光信号（順電圧信号）であってもＯ／Ｅコンバータ２１において当該光信号が受信された場合、電圧検出器ＤＶ１〜ＤＶｎに含まれる発光素子のうちの少なくとも１つの発光素子が発光している（つまり、少なくとも１つのサイリスタに順電圧が印加されている）ことを判別することが可能である。
【００５２】
すなわち、サイリスタＴＨ１〜ＴＨｎを適切に駆動するためには順電圧が印加されているサイリスタ（の位置）までを特定する必要がないため、本実施形態のようにゲート制御装置２０に１つのＯ／Ｅコンバータ２１を設ける構成であっても、サイリスタＴＨ１〜ＴＨｎを適切に駆動するためのゲートパルスＧＰを発生（出力）することが可能とある。
【００５３】
また、監視回路２２は、故障検出回路（図示せず）を含む。故障検出回路は、Ｏ／Ｅコンバータ２１によって受光された光信号に基づく光量に基づいて複数のサイリスタＴＨ１〜ＴＨｎのうちの少なくとも１つのサイリスタの故障を検出する。
【００５４】
具体的には、故障検出回路は、例えば正常に動作するサイリスタＴＨ１〜ＴＨｎの各々に入力電圧が印加されている状態において電圧検出器ＤＶ１〜ＤＶｎに含まれる発光素子が発光して出力される光信号に基づく光量（以下、適正光量と表記）を内部に予め保持（測定）しておくものとする。この場合、故障検出回路は、サイリスタＴＨ１〜ＴＨｎの各々に入力電圧が印加されている状態において、Ｏ／Ｅコンバータ２１によって受光された光信号に基づく光量と適正光量とを比較することによって、正常に動作していないサイリスタ（つまり、故障しているサイリスタ）が存在することを検出することができる。
【００５５】
なお、例えば電圧検出器ＤＶ１〜ＤＶｎに含まれる全ての発光素子のうち発光している発光素子の個数に応じた光量をゲート制御装置２０に保持させておくことで、Ｏ／Ｅコンバータ２１によって受光された光信号に基づく光量に基づいて、故障しているサイリスタ（つまり、発光していない発光素子）の数を判別することも可能である。
【００５６】
故障しているサイリスタが存在することが検出された場合には、例えばゲート制御装置２０に接続された表示装置（モニタ）等に当該故障しているサイリスタの有無が表示（つまり、管理者に通知）されてもよい。
【００５７】
上記したように本実施形態においては、複数のサイリスタＴＨ１〜ＴＨｎの各々に対して設けられた複数の電圧検出器ＤＶ１〜ＤＶｎと、当該複数の電圧検出器ＤＶ１〜ＤＶｎに含まれる発光素子の各々の発光に応じた光信号（電圧信号）を受光する例えば１つのＯ／Ｅコンバータ２１（受光素子）とが光ファイバケーブル４０（伝送路）を介して接続される。なお、光ファイバケーブル４０は、例えば複数の電圧検出器ＤＶ１〜ＤＶｎとＯ／Ｅコンバータ２１とを接続するように枝分かれした形状を有する。
【００５８】
本実施形態においては、このような構成により、ゲート制御装置２０に電圧検出器ＤＶ１〜ＤＶｎと同数のＥ／Ｏコンバータ２１を設け、当該電圧検出器ＤＶ１〜ＤＶｎの各々と当該Ｅ／Ｏコンバータ２１の各々とを別個の（つまり、複数本の）光ファイバケーブル５００で接続する構成（図５に示す比較例に係る構成）と比較して、光ファイバケーブルの敷設量を削減することができ、当該光ファイバケーブルの敷設作業を容易にする（つまり、敷設作業時間を短縮する）ことが可能となる。
【００５９】
また、本実施形態においては、比較例に係る構成と比較して、Ｏ／Ｅコンバータ２１の数を削減することが可能であるため、コストの削減及びゲート制御装置２０内の回路の簡易化等を実現することができる。
【００６０】
更に、本実施形態においては、複数の電圧検出器ＤＶ１〜ＤＶｎに含まれる発光素子のうちの少なくとも１つの発光素子の発光に応じた光信号がＯ／Ｅコンバータ２１によって受光（受信）された場合に、複数のサイリスタＴＨ１〜ＴＨｎを駆動するゲートパルスＧＰを発生する。本実施形態においては、このような構成により、例えば制御盤３０によって決定された位相（サイリスタＴＨ１〜ＴＨｎを駆動するタイミング）であり、複数のサイリスタＴＨ１〜ＴＨｎの少なくとも１つに順電圧が印加されている場合に、当該複数のサイリスタＴＨ１〜ＴＨｎを適切に駆動することが可能となる。
【００６１】
また、本実施形態においては、Ｏ／Ｅコンバータ２１によって受光された光信号に基づく光量に基づいて複数のサイリスタＴＨ１〜ＴＨｎのうちの少なくとも１つのサイリスタの故障を検出することにより、故障しているサイリスタの存在を管理者等に通知し、電力変換装置１のメンテナンス等を促すことが可能となる。
【００６２】
なお、本実施形態においては図６に示すような枝分かれ形状を有する光ファイバケーブル４０によって複数の電圧検出器ＤＶ１〜ＤＶｎとＯ／Ｅコンバータ２１とが接続されるものとして説明したが、上記したように比較例に係る構成と比較して光ファイバケーブルの敷設作業が容易になるものであれば、光ファイバケーブル４０は他の形状等であっても構わない。
【００６３】
また、本実施形態においては、ゲート制御装置２０に１つのＯ／Ｅコンバータ２１が設けられるものとして主に説明したが、例えば２つの電圧検出器毎に１つのＯ／Ｅコンバータ２１が設けられるような構成としてもよい。このような構成によれば、比較例に係る構成と比較して、Ｏ／Ｅコンバータ２１の数を１／２にすることができるとともに、光ファイバケーブルの敷設量を削減することができる。同様に、例えば３つの電圧検出器毎にＯ／Ｅコンバータ２１が設けられるような構成としてもよい。このような構成によれば、比較例に係る構成と比較して、Ｏ／Ｅコンバータ２１の数を１／３にすることができるとともに、光ファイバケーブルの敷設量を削減することができる。
【００６４】
このように本実施形態においては、例えば少なくともＯ／Ｅコンバータ２１（受光素子）と電圧検出器ＤＶ１〜ＤＶｎとを１対多で接続することで、当該電圧検出器ＤＶ１〜ＤＶｎとＯ／Ｅコンバータ２１とを接続する光ファイバケーブルの敷設量を削減するようにしてもよい。すなわち、本実施形態においては、Ｏ／Ｅコンバータ２１の数を少なくとも電圧検出器ＤＶ１〜ＤＶｎの数よりも少なくし、光ファイバケーブルの敷設量を削減する（敷設作業を容易にする）ことができる構成であれば、Ｏ／Ｅコンバータ２１の数は１つでなくても構わない。
【００６５】
なお、本実施形態は、例えば無効電力補償装置（ＳＶＣ：Static Var Compensator）等に適用することも可能である。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００６７】
１…電力変換装置、１０…サイリスタバルブ、２０…ゲート制御装置、２１…Ｏ／Ｅコンバータ（受光素子）、２２…監視回路、３０…制御盤、４０…光ファイバケーブル（伝送路）、１００…サイリスタバルブモジュール、ＡＰ…３相交流電源、ＤＰ…直流回路、ＤＶ１〜ＤＶｎ…電圧検出器、ＳＮ１〜ＳＮｎ…スナバ回路、ＴＨ１〜ＴＨｎ…サイリスタ、ＬＦ，ＬＲ…発光素子。
【図１】
2018137876.tif 000003
【図２】
2018137876.tif 000004
【図３】
2018137876.tif 000005
【図４】
2018137876.tif 000006
【図５】
2018137876.tif 000007
【図６】
2018137876.tif 000008